(57)【要約】【課題】加熱ロスや内釜の凸底部の不必要な温度上昇を抑制できる炊飯器を提供する。【解決手段】内釜２の底部温度を検出する底部温度センサー７と、内釜２の側面温度を検出する側面温度センサー８と、内釜２の内部温度を検出する蓋温度センサー９と、底部加熱コイル５と凸部加熱コイル４への通電を制御し、内釜２を誘導加熱させる制御装置１０とを備え、制御装置１０は、内釜２を誘導加熱する前に底部温度、側面温度および内部温度を読み込み、内釜２を誘導加熱してから一定時間経過後に、底部温度、側面温度および内部温度を読み込んで、内釜２を誘導加熱する前の底部温度、側面温度および内部温度とでそれぞれの温度変化値を算出し、各温度変化値から内釜２内の炊飯量を判定する。【選択図】図１
2014204931.tif 000002
【特許請求の範囲】
【請求項１】
本体に上部に開口を有して設けられ、底部中央に底部から空洞状態で当該開口側に延びる凸部を有する中容器と、
前記中容器内に取り出し自在に収容され、底部中央に前記中容器の凸部が挿入される凸収容部を有する内釜と、
前記本体に設けられ、前記中容器の開口を開閉する蓋体と、
前記中容器の凸部の内周上部に設けられた凸部加熱コイルと、
前記中容器の底部に設けられた底部加熱コイルと、
前記内釜の底部温度を検出する底部温度センサーと、
前記内釜の側面温度を検出する側面温度センサーと、
前記内釜の内部温度を検出する内部温度センサーと、
前記底部加熱コイルおよび前記凸部加熱コイルへの通電を制御し、前記内釜を誘導加熱させる制御手段とを備え、
前記制御手段は、前記内釜を誘導加熱する前に前記底部温度、前記側面温度および前記内部温度を読み込み、前記内釜を誘導加熱してから一定時間経過後に、前記底部温度、前記側面温度および前記内部温度を読み込んで、前記内釜を誘導加熱する前の前記底部温度、前記側面温度および前記内部温度とでそれぞれの温度変化値を算出し、各温度変化値から前記内釜内の炊飯量を判定することを特徴とする炊飯器。
【請求項２】
前記制御手段は、予め前記内釜を誘導加熱する前の内部温度に応じて炊飯量判定用の設定底部温度、設定側面温度および設定内部温度がそれぞれ設定されたテーブルを有し、前記内釜を誘導加熱する前に読み込んだ前記内部温度に設定された設定底部温度、設定側面温度および設定内部温度を前記テーブルから抽出して、前記各温度変化値とそれぞれ比較し、その比較結果から前記内釜内の炊飯量を判定することを特徴とする請求項１記載の炊飯器。
【請求項３】
本体に上部に開口を有して設けられ、底部中央に底部から空洞状態で当該開口側に延びる凸部を有する中容器と、
前記中容器内に取り出し自在に収容され、底部中央に前記中容器の凸部が挿入される凸収容部を有する内釜と、
前記本体に設けられ、前記中容器の開口を開閉する蓋体と、
前記中容器の凸部の内周上部に設けられた凸部加熱コイルと、
前記中容器の底部に設けられた底部加熱コイルと、
前記内釜の底部温度を検出する底部温度センサーと、
前記内釜の内部温度を検出する内部温度センサーと、
前記内釜の重量を検出する重量センサーと、
前記底部加熱コイルおよび前記凸部加熱コイルへの通電を制御し、前記内釜を誘導加熱させる制御手段とを備え、
前記制御手段は、前記内釜を誘導加熱する前に前記底部温度と前記内部温度とを読み込むと共に、前記内釜の重量を読み込み、読み込んだ前記底部温度と前記内部温度とに応じて前記重量を補正し、補正した重量を基に前記内釜内の炊飯量を判定することを特徴とする炊飯器。
【請求項４】
前記制御手段は、予め前記内釜を誘導加熱する前の底部温度および内部温度に応じて補正値がそれぞれ設定されたテーブルを有し、前記内釜を誘導加熱する前に読み込んだ前記底部温度および前記内部温度に設定された補正値を前記テーブルから選択して、前記内釜を誘導加熱する前に読み込んだ前記重量を補正し、補正した重量を基に前記内釜内の炊飯量を判定することを特徴とする請求項３記載の炊飯器。
【請求項５】
本体に上部に開口を有して設けられ、底部中央に底部から空洞状態で当該開口側に延びる凸部を有する中容器と、
前記中容器内に取り出し自在に収容され、底部中央に前記中容器の凸部が挿入される凸収容部を有する内釜と、
前記本体に設けられ、前記中容器の開口を開閉する蓋体と、
前記中容器の凸部の内周上部に設けられた凸部加熱コイルと、
前記中容器の底部に設けられた底部加熱コイルと、
前記内釜の底部温度を検出する底部温度センサーと、
前記内釜の側面温度を検出する側面温度センサーと、
前記内釜の凸収容部の上面温度を検出する非接触型温度センサーと、
前記底部加熱コイルおよび前記凸部加熱コイルへの通電を制御し、前記内釜を誘導加熱させる制御手段とを備え、
前記制御手段は、前記内釜を誘導加熱する前に前記底部温度、前記側面温度および前記上面温度を読み込み、前記内釜を誘導加熱してから一定時間経過後に、前記底部温度、前記側面温度および前記上面温度を読み込んで、前記内釜を誘導加熱する前の前記底部温度、前記側面温度および前記上面温度とでそれぞれの温度変化値を算出し、各温度変化値から前記内釜内の炊飯量を判定することを特徴とする炊飯器。
【請求項６】
前記内釜の内部温度を検出する内部温度センサーを備え、
前記制御手段は、予め前記内釜を誘導加熱する前の内部温度に応じて炊飯量判定用の設定底部温度、設定側面温度および設定上面温度がそれぞれ設定されたテーブルを有し、前記内釜を誘導加熱する前に読み込んだ前記内部温度に対応する設定底部温度、設定側面温度および設定上面温度を前記テーブルから抽出して、前記各温度変化値とそれぞれ比較し、その比較結果から前記内釜内の炊飯量を判定することを特徴とする請求項５記載の炊飯器。
【請求項７】
前記制御手段は、予熱工程、炊きあげ工程、沸騰維持工程、むらし工程の各工程を有し、前記炊飯量が前記内釜で多量とする範囲内にあるときには、前記各工程で前記底部加熱コイルと前記凸部加熱コイルの両方に通電することを特徴とする請求項１〜６の何れか一項に記載の炊飯器。
【請求項８】
前記制御手段は、予熱工程、炊きあげ工程、沸騰維持工程、むらし工程の各工程を有し、前記炊飯量が前記内釜で中量とする範囲内にあるときには、前記各工程のうち予熱工程では前記凸部加熱コイルの通電時間を前記底部加熱コイルよりも短くし、炊きあげ工程および沸騰維持工程では前記凸部加熱コイルの通電時間を予熱工程時の通電時間から徐々に長くすることを特徴とする請求項１〜７の何れか一項に記載の炊飯器。
【請求項９】
前記制御手段は、予熱工程、炊きあげ工程、沸騰維持工程、むらし工程の各工程を有し、前記炊飯量が前記内釜で少量とする範囲内にあるときには、前記各工程のうち予熱工程では前記底部加熱コイルのみに通電し、炊きあげ工程および沸騰維持工程では前記凸部加熱コイルにも通電し、その通電時間を前記底部加熱コイルへの通電時間よりも短くすることを特徴とする請求項１〜８の何れか一項に記載の炊飯器。
【請求項１０】
前記制御手段は、前記底部加熱コイルと前記凸部加熱コイルの通電を交互に行うことを特徴とする請求項７〜９の何れか一項に記載の炊飯器。
【請求項１１】
前記内釜の凸収容部の高さを、当該内釜における炊飯量の最多を示す目盛り以上とすることを特徴とする請求項１〜１０の何れか一項に記載の炊飯器。
【請求項１２】
前記底部加熱コイルは、前記内釜における炊飯量の最少を示す目盛りの高さまで巻かれていることを特徴とする請求項１〜１１の何れか一項に記載の炊飯器。
【発明の詳細な説明】
【技術分野】
【０００１】
本発明は、内釜を誘導加熱する前に内釜内の炊飯量を判定して炊飯動作を行う炊飯器に関するものである。
【背景技術】
【０００２】
従来の炊飯器として、内釜の底部中央に内側に突出して形成された凸底部を加熱する凸部加熱コイルと、その内釜の凸底部を除く周囲の底部を加熱する底部加熱コイルと、内釜の凸底部の温度を検出する凸部温度センサーと、内釜の底部の温度を検出する底部温度センサーと、各温度センサーの検出温度に応じて凸部加熱コイルと底部加熱コイルを同時あるいは交互に通電する制御手段とを備えたものがある(例えば、特許文献１参照)。
【先行技術文献】
【特許文献】
【０００３】
【特許文献１】特開２００１−１６１５４９号公報（第２−３頁、図１）
【発明の概要】
【発明が解決しようとする課題】
【０００４】
しかしながら、前述した従来の炊飯器では、少量あるいは中量の炊飯物を炊飯する場合、炊飯物（米と水）の高さよりも内釜の凸底部が高くなって露出してしまう。このような場合、凸部加熱コイル近傍の凸部温度センサおよび底部加熱コイル近傍の底部温度センサの検出温度だけでは、少量又は中量の炊飯量の判定が難しく、炊飯量に応じた最適な制御が炊飯開始からはできず、電力供給が不足したり、過剰な電力を供給したりする可能性がある。
【０００５】
最適な炊飯量が判定できない状態で、予熱工程から温度ムラを低減すべく凸部加熱コイルで積極的に加熱する場合は、内釜の凸底部が空焼き状態となって加熱ロスが生じ、省エネの観点からも課題がある。また、内釜の凸底部の温度が不必要に高くなり、内釜など本体の耐久性の低下が加速される懸念がある。
【０００６】
本発明は、前述のような課題を解決するためになされたもので、加熱ロスや内釜の凸収容部の不必要な温度上昇を抑制できる炊飯器を提供することを目的とする。
【課題を解決するための手段】
【０００７】
本発明に係る炊飯器は、本体に上部に開口を有して設けられ、底部中央に底部から空洞状態で当該開口側に延びる凸部を有する中容器と、中容器内に取り出し自在に収容され、底部中央に中容器の凸部が挿入される凸収容部を有する内釜と、本体に設けられ、中容器の開口を開閉する蓋体と、中容器の凸部の内周上部に設けられた凸部加熱コイルと、中容器の底部に設けられた底部加熱コイルと、内釜の底部温度を検出する底部温度センサーと、内釜の側面温度を検出する側面温度センサーと、内釜の内部温度を検出する内部温度センサーと、底部加熱コイルおよび凸部加熱コイルへの通電を制御し、内釜を誘導加熱させる制御手段とを備え、制御手段は、内釜を誘導加熱する前に底部温度、側面温度および内部温度を読み込み、内釜を誘導加熱してから一定時間経過後に、底部温度、側面温度および内部温度を読み込んで、内釜を誘導加熱する前の底部温度、側面温度および内部温度とでそれぞれの温度変化値を算出し、各温度変化値から内釜内の炊飯量を判定する。
【発明の効果】
【０００８】
本発明においては、内釜を誘導加熱する前に底部温度、側面温度および内部温度を読み込み、内釜を誘導加熱してから一定時間経過後に、底部温度、側面温度および内部温度を読み込んで、内釜を誘導加熱する前の底部温度、側面温度および内部温度とでそれぞれの温度変化値を算出し、各温度変化値から内釜内の炊飯量を判定するようにしている。これにより、内釜の底部中央に設けられた凸収容部の高さよりも炊飯物が低い場合であっても、正確に内釜内の炊飯量を判定できるため、電力供給が不足したり、過剰な電力供給を行うことなく、最適な電力を供給することができる。また、加熱ロスや内釜の凸収容部の不必要な温度上昇を抑制でき、このため、内釜など本体の耐久性の低下を抑えることができる。
【図面の簡単な説明】
【０００９】
【図１】本発明の実施の形態１に係る炊飯器の概略構成を示す縦断面図。
【図２】本発明の実施の形態１に係る炊飯器の動作を示すフローチャート。
【図３】本発明の実施の形態２に係る炊飯器の概略構成を示す縦断面図。
【図４】本発明の実施の形態２に係る炊飯器の動作を示すフローチャート。
【図５】本発明の実施の形態３に係る炊飯器の概略構成を示す縦断面図。
【図６】本発明の実施の形態３に係る炊飯器の動作を示すフローチャート。
【発明を実施するための形態】
【００１０】
実施の形態１．
図１は本発明の実施の形態１に係る炊飯器の概略構成を示す縦断面図である。
図１において、炊飯器は、上部に開口が設けられた中容器６を有する本体１と、本体１の中容器６内に取り出し自在に収容される内釜２と、本体１の中容器６の開口を開閉する蓋体３とを備えている。中容器６の底部中央には、底部から空洞状態で開口側に延びる略円柱形状の凸部６ａが設けられている。
【００１１】
内釜２の材料として、磁性金属材、磁性金属材と非磁性の高伝導金属材とのクラッド、電気抵抗の高い非磁性体、例えば炭素材が用いられている。内釜２の底部中央には、中容器６の凸部６ａが挿入される略円柱形状の凸収容部２ａが設けられている。その凸収容部２ａの高さは、内釜２における最多の炊飯量を示す目盛りと略同じである。なお、内釜の形状の凸部分については、特に鉛直方向に加熱面積を大きくする目的が達成されれば、円柱形であっても山形であっても構わない。
【００１２】
本体１は、中容器６の凸部６ａの内周上部に設けられた凸部加熱コイル４と、中容器６の底部に設けられた底部加熱コイル５と、内釜２の底部温度を検出する底部温度センサー７と、内釜２の側面温度を検出する側面温度センサー８と、蓋体３の中容器６の開口側の面とに設けられ、内釜２の内部温度を検出する蓋温度センサー９（内部温度センサー）と、底部加熱コイル５および凸部加熱コイル４への通電を制御し、内釜２を誘導加熱させる制御装置１０とを備えている。
【００１３】
底部温度センサー７、側面温度センサー８および蓋温度センサー９には、例えばサーミスタが用いられている。底部加熱コイル５は、内釜２における最少の炊飯量を示す目盛りの高さまで巻かれている。側面温度センサー８は、中量の炊飯量を示す目盛りの高さに設置されている。なお、加熱手段として、凸部加熱コイル４と底部加熱コイル５とを用いているが、これに代えて、中容器６の凸部６ａの内周上部および中容器６の底部にシーズヒータを設けて、内釜２を加熱するようにしても良い。
【００１４】
制御装置１０は、炊飯を開始する際、即ち内釜２を誘導加熱する前に底部温度、側面温度および内部温度を読み込む。次いで、制御装置１０は、内釜２を誘導加熱してから一定時間経過後に再び、底部温度、側面温度および内部温度を読み込んで、内釜２を誘導加熱する前の底部温度、側面温度および内部温度とでそれぞれの温度変化値を算出し、各温度変化値から内釜２内の炊飯量を判定する。
【００１５】
具体的には、制御装置１０は、予め内釜２を誘導加熱する前の内部温度に応じて炊飯量判定用の設定底部温度、設定側面温度および設定内部温度がそれぞれ設定されたテーブル（図示せず）を有し、内釜２を誘導加熱する前に読み込んだ内部温度に設定された設定底部温度、設定側面温度および設定内部温度を前記テーブルから抽出する。そして、制御装置１０は、抽出した設定底部温度、設定側面温度および設定内部温度と各温度変化値とをそれぞれ比較し、その比較結果（各部の温度の大小）から内釜２内の炊飯量を判定する。その後、制御装置１０は、予熱工程、炊きあげ工程、沸騰維持工程およびむらし工程の各工程を、判定した炊飯量に応じて実施する。
【００１６】
なお、制御装置１０は、上記の機能を実現する回路デバイスのようなハードウェアで構成しても良いし、マイコンやＣＰＵのような演算装置と、その上で実行されるソフトウェアとにより構成しても良い。
【００１７】
次に、本実施の形態１に係る炊飯器の炊飯動作を図１および図２を用いて説明する。図２は本発明の実施形態１に係る炊飯器の炊飯動作を示すフローチャートである。
本体１の中容器６の中に炊飯物（水と米）の入った内釜２を入れて蓋体３を閉じ、そして、蓋体３に設けられた炊飯スイッチ（図示せず）をオン操作すると、制御装置１０は、炊飯を開始する（Ｓ１）。
【００１８】
この時、制御装置１０は、内釜２を誘導加熱することなく、底部温度センサー７により検出された内釜２の底部温度、側面温度センサー８により検出された内釜２の側面温度、および蓋温度センサー９により検出された内釜２の内部温度の各温度を読み込み、炊飯開始ｔ０時における底部初期温度Ｔｂ０、側面初期温度Ｔｓ０、内部初期温度Ｔｉ０として記憶する（Ｓ２）。次いで、制御装置１０は、凸部加熱コイル４と底部加熱コイル５とに高周波電流が流れるように、各インバーター回路（図示せず）を制御し（Ｓ３）、内釜２を誘導加熱させる。
【００１９】
制御装置１０は、凸部加熱コイル４と底部加熱コイル５への通電開始から一定時間ｔ（例えば数秒間）を経過したときに（Ｓ４）、底部温度センサー７により検出された内釜２の底部温度Ｔｂ、側面温度センサー８により検出された内釜２の側面温度Ｔｓ、および蓋温度センサー９により検出された内釜２の内部温度Ｔｉをそれぞれ読み込む（Ｓ５）。
【００２０】
そして、制御装置１０は、一定時間ｔ経過時の各温度Ｔｂ、Ｔｓ、Ｔｉから炊飯開始ｔ０時の各温度Ｔｂ０、Ｔｓ０、Ｔｉ０を減算してそれぞれの温度変化値を算出する（Ｓ６）。つまり、制御装置１０は、底部温度Ｔｂから底部初期温度Ｔｂ０を減算して底部温度変化値ΔＴｂを求め、側面温度Ｔｓから側面初期温度Ｔｓ０を減算して側面温度変化値ΔＴｓを求め、内部温度Ｔｉから内部初期温度Ｔｉ０を減算して内部温度変化値ΔＴｉを求める。
【００２１】
その後、制御装置１０は、炊飯開始ｔ０時の内部初期温度Ｔｉ０に応じて設定された炊飯量判定用の設定底部温度ΔＴｂｊ、設定側面温度ΔＴｓｊおよび設定内部温度ΔＴｉｊをそれぞれテーブルから抽出する（Ｓ７）。これは、炊飯開始の際の周囲環境、例えば気温であったり、一度炊飯した後の温度であったり、また、保温をした直後の本体１内の温度によっては、内部初期温度Ｔｉ０が異なるため、その内部初期温度Ｔｉ０に応じた炊飯量判定用の設定底部温度ΔＴｂｊ、設定側面温度ΔＴｓｊおよび設定内部温度ΔＴｉｊを抽出している。
【００２２】
そして、制御装置１０は、ΔＴｂ＜ΔＴｂｊで、かつΔＴｓ＜ΔＴｓｊであるか否かを判定する（Ｓ８）。これは、内釜２内の炊飯物が所定の高さまで入っていないために起こる、空焼き状態による急激な温度上昇で炊飯量を判定する方法である。制御装置１０は、ΔＴｂ＞ΔＴｂｊで、かつΔＴｓ≧ΔＴｓｊのときには、内釜２内の炊飯量が「少量」と判定してＳ２０に進むが、ΔＴｂ＜ΔＴｂｊで、かつΔＴｓ＜ΔＴｓｊのときには、ΔＴｉ＜ΔＴｉｊか否かを判定する（Ｓ９）。
【００２３】
制御装置１０は、Ｓ９において、ΔＴｉ＜ΔＴｉｊのときには、内釜２内の炊飯量が「多量」と判定して、凸部加熱コイル４と底部加熱コイル５への通電を継続させて（Ｓ１０）、予熱工程、炊きあげ工程、沸騰維持工程、むらし工程の各工程を順に実施し（Ｓ１１〜Ｓ１４）、むらし工程を終了したときに炊飯を終了する（Ｓ２５）。
【００２４】
制御装置１０は、予熱工程においては、内釜２内の炊飯物の温度が予熱温度まで上昇するように、凸部加熱コイル４と底部加熱コイル５への通電を制御し、炊飯物の温度が予熱温度に達したときには、その状態が保持されるように、凸部加熱コイル４と底部加熱コイル５への通電を制御する。制御装置１０は、炊きあげ工程においては、炊飯物の温度が９８℃（米をα化させる温度）まで上昇するように、凸部加熱コイル４と底部加熱コイル５への通電を制御する。
【００２５】
更に、制御装置１０は、沸騰維持工程においては、炊飯物の温度が沸騰温度に達するように、凸部加熱コイル４と底部加熱コイル５への通電を制御し、この状態を米がα化するまで沸騰を維持する。制御装置１０は、むらし工程においては、凸部加熱コイル４と底部加熱コイル５への通電を停止し、炊飯量に応じたむらし時間が経過するまで炊飯物（米飯）をむらす。なお、各工程において、凸部加熱コイル４と底部加熱コイル５への通電を交互に行うようにして、内釜の中央部分から自然対流が起きるように、また、内釜２の内周側面から自然対流が起きるようにし、内釜２内の温度ムラを少なく、かつ米飯がムラなく炊き上がるようにしても良い。
【００２６】
制御装置１０は、Ｓ９において、ΔＴｉ≧ΔＴｉｊのときには、内釜２内の炊飯量が「中量」と判定して、凸部加熱コイル４への通電を停止させ、底部加熱コイル５のみ通電を継続させて（Ｓ１５）、前述したように、予熱工程、炊きあげ工程、沸騰維持工程、むらし工程の各工程を順に実施し（Ｓ１６〜Ｓ１９）、むらし工程を終了したときに炊飯を終了する（Ｓ２５）。
【００２７】
制御装置１０は、予熱工程においては、内釜２内の炊飯物の温度が予熱温度まで上昇するように、底部加熱コイル５への通電を制御し、炊飯物から露出している凸収容部２ａが異常な温度にならない程度に、凸部加熱コイル４への通電を短時間行う。これは、できる限り鉛直方向に熱源を持たせて、炊飯物の米の吸水ムラを抑制するためである。
【００２８】
制御装置１０は、炊きあげ工程・沸騰維持工程においては、米が水をある程度吸って、体積が増えた段階で、凸部加熱コイル４への通電時間を予熱工程時よりも徐々に長くなるようにする。この場合、制御装置１０は、凸部加熱コイル４と底部加熱コイル５の両方に略同時に通電、あるいは交互に通電させて、内釜の中央部分から自然対流が起きるように、また、内釜２の内周側面から自然対流が起きるようにして、内釜２内の温度ムラを少なく、かつ米飯がムラなく炊き上がるようにする。
【００２９】
また、制御装置１０は、Ｓ８において、ΔＴｂ＜ΔＴｂｊで、かつΔＴｓ≧ΔＴｓｊのときには、内釜２内の炊飯量が「少量」と判定して、凸部加熱コイル４への通電を停止させ、底部加熱コイル５のみ通電を継続させて（Ｓ２０）、前述したように、予熱工程、炊きあげ工程、沸騰維持工程、むらし工程の各工程を順に実施し（Ｓ２１〜Ｓ２４）、むらし工程を終了したときに炊飯を終了する（Ｓ２５）。
【００３０】
制御装置１０は、予熱工程においては、底部加熱コイル５のみ通電させて、内釜２内の炊飯物の温度が予熱温度になるようにする。制御装置１０は、炊きあげ工程・沸騰維持工程においては、米が水をある程度吸って、体積が増えた段階で、炊飯物から露出している凸収容部２ａが異常な温度にならない程度に、凸部加熱コイル４への通電を短時間行う。これは、できる限り鉛直方向に熱源を持たせて、炊飯物の米の吸水ムラを抑制するためである。この場合、制御装置１０は、凸部加熱コイル４と底部加熱コイル５の両方に略同時に通電、あるいは交互に通電させて、内釜２の中央部分から自然対流が起きるように、また、内釜２の内周側面から自然対流が起きるようにして、内釜２内の温度ムラを少なく、かつ米飯がムラなく炊き上がるようにする。
【００３１】
以上のように実施の形態１によれば、炊飯開始ｔ０の際（内釜２を誘導加熱する前）に、底部初期温度Ｔｂ０、側面初期温度Ｔｓ０、内部初期温度Ｔｉ０を読み込み、内釜２を誘導加熱してから一定時間ｔ経過後に、底部温度Ｔｂ、側面温度Ｔｓおよび内部温度Ｔｉを読み込んで、内釜２を誘導加熱する前の底部初期温度Ｔｂ０、側面初期温度Ｔｓ０および内部初期温度Ｔｉ０とでそれぞれの温度変化値ΔＴｂ、ΔＴｓ、ΔＴｉを算出する。そして、内釜２を誘導加熱する前に読み込んだ内部初期温度Ｔｉ０（内部温度Ｔｉ０）に対応して設定された設定底部温度ΔＴｂｊ、設定側面温度ΔＴｓｊおよび設定内部温度ΔＴｉｊをテーブルから抽出して、各温度変化値ΔＴｂ、ΔＴｓ、ΔＴｉとそれぞれ比較し、その比較結果から内釜２内の炊飯量を判定するようにしている。
これにより、内釜２の底部中央に設けられた凸収容部２ａの高さよりも炊飯物が低い場合、つまり炊飯量が少量あるいは中量であっても、正確に内釜２内の炊飯量を判定できる。このため、電力供給が不足したり、過剰に電力を供給したりすることがなくなり、最適な電力を供給することができる。また、加熱ロスや内釜２の凸収容部２ａの不必要な温度上昇を抑制でき、このため、内釜２など本体１の耐久性の低下を抑えることができる。
【００３２】
実施の形態２．
図３は本発明の実施の形態２に係る炊飯器の概略構成を示す縦断面図である。
実施の形態２に係る炊飯器は、図３に示すように、内釜２の直下部に内釜２と内釜２内の炊飯物の重量を検出する重量センサー１１を備えており、炊飯量を検知する目的の一つとして使用していた側面温度センサー８が省略された構成となっている。その他の部品は、実施の形態１と同様であり、同じ符号を付して説明を省略する。
【００３３】
制御装置１０は、内釜２を誘導加熱する前に底部温度と内部温度とを読み込むと共に、内釜２の重量を読み込み、読み込んだ底部温度と内部温度とに応じて重量を補正し、補正した重量を基に内釜２内の炊飯量を判定する。具体的には、制御装置１０は、予め内釜２を誘導加熱する前の底部温度および内部温度に応じて補正値がそれぞれ設定されたテーブル（図示せず）を有し、内釜２を誘導加熱する前に読み込んだ底部温度および内部温度に設定された補正値をテーブルから選択して、内釜２を誘導加熱する前に読み込んだ重量を補正し、補正した重量を基に内釜２内の炊飯量を判定する。その後、制御装置１０は、予熱工程、炊きあげ工程、沸騰維持工程およびむらし工程の各工程を、判定した炊飯量に応じて実施する。
【００３４】
次に、実施の形態２に係る炊飯器の炊飯動作を図３および図４を用いて説明する。図４は本発明の実施の形態２に係る炊飯器の動作を示すフローチャートである。
本体１の中容器６の中に炊飯物（水と米）の入った内釜２を入れて蓋体３を閉じ、そして、蓋体３に設けられた炊飯スイッチ（図示せず）をオン操作すると、制御装置１０は、炊飯を開始する（Ｓ３１）。
【００３５】
この時、制御装置１０は、内釜２を誘導加熱することなく、底部温度センサー７により検出された内釜２の底部温度、および蓋温度センサー９（内部温度センサー）により検出された内釜２の内部温度の各温度を読み込み、炊飯開始ｔ０時における底部初期温度Ｔｂ０、内部初期温度Ｔｉ０として記憶する（Ｓ３２）。次いで、制御装置１０は、重量センサー１１によって検出された重量を読み込んで、底部初期温度Ｔｂ０および内部初期温度Ｔｉ０に設定された補正値を前記テーブルから抽出して、先に読み込んだ重量を補正値で補正し、補正した重量を基に内釜２内の炊飯量を選択する（Ｓ３３）。重量センサー１１によって検出される重量は、炊飯開始の際の周囲環境、例えば気温であったり、一度炊飯した後の温度であったり、また、保温をした直後の本体１内の温度によって異なるため、底部初期温度Ｔｂ０および内部初期温度Ｔｉ０に設定された補正値を抽出して、重量を補正している。
【００３６】
その後、制御装置１０は、選択した炊飯量が多量か否かを判定する（Ｓ３４）。この判定は、予め設定された第１閾値および第１閾値よりも低い第２閾値と比較して判定する。例えば、炊飯量が第１閾値を超えるときには多量とし、第１閾値以下で第２閾値を超えるときには中量とし、また、炊飯量が第２閾値以下のときには少量とする。
【００３７】
制御装置１０は、前述した方法により炊飯量が「多量」と判定したときには、凸部加熱コイル４と底部加熱コイル５への通電を開始して（Ｓ３５）、予熱工程、炊きあげ工程、沸騰維持工程、むらし工程の各工程を順に実施し（Ｓ３６〜Ｓ３９）、むらし工程を終了したときに炊飯を終了する（Ｓ５１）。
【００３８】
制御装置１０は、予熱工程においては、内釜２内の炊飯物の温度が予熱温度まで上昇するように、凸部加熱コイル４と底部加熱コイル５とへの通電を制御し、炊飯物の温度が予熱温度に達したときには、その状態が保持されるように、凸部加熱コイル４と底部加熱コイル５への通電を制御する。制御装置１０は、炊きあげ工程においては、炊飯物の温度が９８℃（米をα化させる温度）まで上昇するように、凸部加熱コイル４と底部加熱コイル５への通電を制御する。
【００３９】
更に、制御装置１０は、沸騰維持工程においては、炊飯物の温度が沸騰温度に達するように、凸部加熱コイル４と底部加熱コイル５への通電を制御し、この状態を米がα化するまで沸騰を維持する。制御装置１０は、むらし工程においては、凸部加熱コイル４と底部加熱コイル５への通電を停止し、炊飯量に応じたむらし時間が経過するまで炊飯物（米飯）をむらす。なお、各工程において、凸部加熱コイル４と底部加熱コイル５への通電を交互に行うようにして、内釜の中央部分から自然対流が起きるように、また、内釜２の内周側面から自然対流が起きるようにし、内釜２内の温度ムラを少なく、かつ米飯がムラなく炊き上がるようにしても良い。
【００４０】
制御装置１０は、Ｓ３４において、炊飯量が「多量」でないと判定したときには、その炊飯量が「中量」か否かを判定する（Ｓ４０）。制御装置１０は、炊飯量が「中量」と判定したときには、底部加熱コイル５のみ通電を開始して（Ｓ４１）、前述したように、予熱工程、炊きあげ工程、沸騰維持工程、むらし工程の各工程を順に実施し（Ｓ４２〜Ｓ４５）、むらし工程を終了したときに炊飯を終了する（Ｓ５１）。
【００４１】
制御装置１０は、予熱工程においては、内釜２内の炊飯物の温度が予熱温度まで上昇するように、底部加熱コイル５への通電を制御し、炊飯物から露出している凸収容部２ａが異常な温度にならない程度に、凸部加熱コイル４への通電を短時間行う。これは、できる限り鉛直方向に熱源を持たせて、炊飯物の米の吸水ムラを抑制するためである。
【００４２】
制御装置１０は、炊きあげ工程・沸騰維持工程においては、米が水をある程度吸って、体積が増えた段階で、凸部加熱コイル４への通電時間を予熱工程時よりも徐々に長くなるようにする。この場合、制御装置１０は、凸部加熱コイル４と底部加熱コイル５の両方に略同時に通電、あるいは交互に通電させて、内釜２の中央部分から自然対流が起きるように、また、内釜２の内周側面から自然対流が起きるようにして、内釜２内の温度ムラを少なく、かつ米飯がムラなく炊き上がるようにする。
【００４３】
制御装置１０は、Ｓ４０において、炊飯量が「少量」と判定したときには、底部加熱コイル５のみ通電を開始して（Ｓ４６）、前述したように、予熱工程、炊きあげ工程、沸騰維持工程、むらし工程の各工程を順に実施し（Ｓ４７〜Ｓ５０）、むらし工程を終了したときに炊飯を終了する（Ｓ５１）。
【００４４】
制御装置１０は、予熱工程においては、底部加熱コイル５のみ通電させて、内釜２内の炊飯物の温度が予熱温度になるようにする。制御装置１０は、炊きあげ工程・沸騰維持工程においては、米が水をある程度吸って、体積が増えた段階で、炊飯物から露出している凸収容部２ａが異常な温度にならない程度に、凸部加熱コイル４への通電を短時間行う。これは、できる限り鉛直方向に熱源を持たせて、炊飯物の米の吸水ムラを抑制するためである。この場合、制御装置１０は、凸部加熱コイル４と底部加熱コイル５の両方に略同時に通電、あるいは交互に通電させて、内釜２の中央部分から自然対流が起きるように、また、内釜２の内周側面から自然対流が起きるようにして、内釜２内の温度ムラを少なく、かつ米飯がムラなく炊き上がるようにする。
【００４５】
以上のように実施の形態２によれば、炊飯開始ｔ０の際（内釜２を誘導加熱する前）に、底部初期温度Ｔｂ０と内部初期温度Ｔｉ０とを読み込むと共に、内釜２の重量を読み込み、読み込んだ底部初期温度Ｔｂ０と内部初期温度Ｔｉ０に設定された補正値をテーブルから選択して、内釜２を誘導加熱する前に読み込んだ重量を補正し、補正した重量を基に内釜２内の炊飯量を判定するようにしている。
これにより、内釜２の底部中央に設けられた凸収容部２ａの高さよりも炊飯物が低い場合、つまり炊飯量が少量あるいは中量であっても、周囲温度に影響されることなく、正確に内釜２内の炊飯量を判定できる。このため、電力供給が不足したり、過剰に電力を供給したりすることがなくなり、最適な電力を供給することができる。また、加熱ロスや内釜２の凸収容部２ａの不必要な温度上昇を抑制でき、このため、内釜２など本体１の耐久性の低下を抑えることができる。
【００４６】
実施の形態３．
図５は本発明の実施の形態３に係る炊飯器の概略構成を示す縦断面図である。
実施の形態３に係る炊飯器は、図５に示すように、蓋体３の裏面に内釜２の凸収容部２ａの上面温度を検出する非接触型温度センサー１２を備えた構成となっている。その他の部品は、実施の形態１と同様であり、同じ符号を付して説明を省略する。なお、非接触型温度センサー１２を蓋体３の裏面に設けているが、内釜２の凸収容部２ａの上面温度を検出することができれば、蓋体３に設けなくても良い。
【００４７】
制御装置１０は、炊飯を開始する際、即ち内釜２を誘導加熱する前に底部温度、側面温度および上面温度を読み込み、内釜２を誘導加熱してから一定時間経過後に、底部温度、側面温度および上面温度を読み込んで、内釜２を誘導加熱する前の底部温度、側面温度および上面温度とでそれぞれの温度変化値を算出し、各温度変化値から内釜２内の炊飯量を判定する。
【００４８】
具体的には、制御装置１０は、予め内釜２を誘導加熱する前の内部温度に応じて炊飯量判定用の設定底部温度、設定側面温度および設定上面温度がそれぞれ設定されたテーブル（図示せず）を有し、内釜２を誘導加熱する前に読み込んだ内部温度に対応する設定底部温度、設定側面温度および設定上面温度を前記テーブルから抽出して、各温度変化値とそれぞれ比較し、その比較結果から内釜２内の炊飯量を判定する。その後、制御装置１０は、予熱工程、炊きあげ工程、沸騰維持工程およびむらし工程の各工程を、判定した炊飯量に応じて実施する。
【００４９】
次に、実施の形態３に係る炊飯器の炊飯動作を図５および図６を用いて説明する。図６は本発明の実施の形態３に係る炊飯器の動作を示すフローチャートである。
本体１の中容器６の中に炊飯物（水と米）の入った内釜２を入れて蓋体３を閉じ、そして、蓋体３に設けられた炊飯スイッチ（図示せず）をオン操作すると、制御装置１０は、炊飯を開始する（Ｓ６１）。
【００５０】
この時、制御装置１０は、内釜２を誘導加熱することなく、底部温度センサー７により検出された内釜２の底部温度、側面温度センサー８により検出された内釜２の側面温度、非接触型温度センサー１２により検出された凸収容部２ａの上面温度および蓋温度センサー９（内部温度センサー）により検出された内釜２の内部温度の各温度を読み込み、炊飯開始ｔ０時における底部初期温度Ｔｂ０、側面初期温度Ｔｓ０、上面初期温度Ｔｐ０、内部初期温度Ｔｉ０として記憶する（Ｓ６２）。次いで、制御装置１０は、凸部加熱コイル４と底部加熱コイル５とに高周波電流が流れるように、各インバーター回路（図示せず）を制御し（Ｓ６３）、内釜２を誘導加熱させる。
【００５１】
制御装置１０は、凸部加熱コイル４と底部加熱コイル５への通電開始から一定時間ｔ（例えば数秒間）を経過したときに（Ｓ６４）、底部温度センサー７により検出された内釜２の底部温度Ｔｂ、側面温度センサー８により検出された内釜２の側面温度Ｔｓ、および非接触型温度センサー１２により検出された凸収容部２ａの上面温度Ｔｐをそれぞれ読み込む（Ｓ６５）。
【００５２】
そして、制御装置１０は、一定時間ｔ経過時の各温度Ｔｂ、Ｔｓ、Ｔｐから炊飯開始ｔ０時の各初期温度Ｔｂ０、Ｔｓ０、Ｔｐ０を減算してそれぞれの温度変化値を算出する（Ｓ６６）。つまり、制御装置１０は、底部温度Ｔｂから底部初期温度Ｔｂ０を減算して底部温度変化値ΔＴｂを求め、側面温度Ｔｓから側面初期温度Ｔｓ０を減算して側面温度変化値ΔＴｓを求め、上面温度Ｔｐから上面初期温度Ｔｐ０を減算して上面温度変化値ΔＴｐを求める。
【００５３】
その後、制御装置１０は、炊飯開始ｔ０時の内部初期温度Ｔｉ０に対応して設定された炊飯量判別用の設定底部温度ΔＴｂｊ、設定側面温度ΔＴｓｊおよび設定上面温度ΔＴｐｊをそれぞれ抽出する（Ｓ６７）。これは、炊飯開始の際の周囲環境、例えば気温であったり、一度炊飯した後の温度であったり、また、保温をした直後の本体１内の温度によっては、内部初期温度Ｔｉ０が異なるため、その内部初期温度Ｔｉ０に応じた炊飯量判定用の設定底部温度ΔＴｂｊ、設定側面温度ΔＴｓｊおよび設定上面温度ΔＴｐｊを抽出している。
そして、制御装置１０は、ΔＴｂ＜ΔＴｂｊで、かつΔＴｓ＜ΔＴｓｊであるか否かを判定する（Ｓ６８）。制御装置１０は、ΔＴｂ＞ΔＴｂｊで、かつΔＴｓ≧ΔＴｓｊのときには、内釜２内の炊飯量が「少量」と判定してＳ８０に進むが、ΔＴｂ＜ΔＴｂｊで、かつΔＴｓ＜ΔＴｓｊのときには、ΔＴｐ＜ΔＴｐｊか否かを判定する（Ｓ６９）。
【００５４】
制御装置１０は、Ｓ６９において、ΔＴｐ＜ΔＴｐｊのときには、内釜２内の炊飯量が「多量」と判定して、凸部加熱コイル４と底部加熱コイル５への通電を継続させて（Ｓ７０）、予熱工程、炊きあげ工程、沸騰維持工程、むらし工程の各工程を順に実施し（Ｓ７１〜Ｓ７４）、むらし工程を終了したときに炊飯を終了する（Ｓ８５）。
【００５５】
制御装置１０は、予熱工程においては、内釜２内の炊飯物の温度が予熱温度まで上昇するように、凸部加熱コイル４と底部加熱コイル５への通電を制御し、炊飯物の温度が予熱温度に達したときには、その状態が保持されるように、凸部加熱コイル４と底部加熱コイル５への通電を制御する。制御装置１０は、炊きあげ工程においては、炊飯物の温度が９８℃（米をα化させる温度）まで上昇するように、凸部加熱コイル４と底部加熱コイル５への通電を制御する。
【００５６】
更に、制御装置１０は、沸騰維持工程においては、炊飯物の温度が沸騰温度に達するように、凸部加熱コイル４と底部加熱コイル５への通電を制御し、この状態を米がα化するまで沸騰を維持する。制御装置１０は、むらし工程においては、凸部加熱コイル４と底部加熱コイル５への通電を停止し、炊飯量に応じたむらし時間が経過するまで炊飯物（米飯）をむらす。なお、各工程において、凸部加熱コイル４と底部加熱コイル５への通電を交互に行うようにして、内釜の中央部分から自然対流が起きるように、また、内釜２の内周側面から自然対流が起きるようにし、内釜２内の温度ムラを少なく、かつ米飯がムラなく炊き上がるようにしても良い。
【００５７】
制御装置１０は、Ｓ６９において、ΔＴｐ≧ΔＴｐｊのときには、内釜２内の炊飯量が「中量」と判定して、凸部加熱コイル４への通電を停止させ、底部加熱コイル５のみ通電を継続させて（Ｓ７５）、前述したように、予熱工程、炊きあげ工程、沸騰維持工程、むらし工程の各工程を順に実施し（Ｓ７６〜Ｓ７９）、むらし工程を終了したときに炊飯を終了する（Ｓ８５）。
【００５８】
制御装置１０は、予熱工程においては、内釜２内の炊飯物の温度が予熱温度まで上昇するように、底部加熱コイル５への通電を制御し、炊飯物から露出している凸収容部２ａが異常な温度にならない程度に、凸部加熱コイル４への通電を短時間行う。これは、できる限り鉛直方向に熱源を持たせて、炊飯物の米の吸水ムラを抑制するためである。
【００５９】
制御装置１０は、炊きあげ工程・沸騰維持工程においては、米が水をある程度吸って、体積が増えた段階で、凸部加熱コイル４への通電時間を予熱工程時よりも徐々に長くなるようにする。この場合、制御装置１０は、凸部加熱コイル４と底部加熱コイル５の両方に略同時に通電、あるいは交互に通電させて、内釜２の中央部分から自然対流が起きるように、また、内釜２の内周側面から自然対流が起きるようにして、内釜２内の温度ムラを少なく、かつ米飯がムラなく炊き上がるようにする。
【００６０】
また、制御装置１０は、Ｓ６８において、ΔＴｂ＜ΔＴｂｊで、かつΔＴｓ≧ΔＴｓｊのときには、内釜２内の炊飯量が「少量」と判定して、凸部加熱コイル４への通電を停止させ、底部加熱コイル５のみ通電を継続させて（Ｓ８０）、前述したように、予熱工程、炊きあげ工程、沸騰維持工程、むらし工程の各工程を順に実施し（Ｓ８１〜Ｓ８４）、むらし工程を終了したときに炊飯を終了する（Ｓ８５）。
【００６１】
制御装置１０は、予熱工程においては、底部加熱コイル５のみ通電させて、内釜２内の炊飯物の温度が予熱温度になるようにする。制御装置１０は、炊きあげ工程・沸騰維持工程においては、米が水をある程度吸って、体積が増えた段階で、炊飯物から露出している凸収容部２ａが異常な温度にならない程度に、凸部加熱コイル４への通電を短時間行う。これは、できる限り鉛直方向に熱源を持たせて、炊飯物の米の吸水ムラを抑制するためである。この場合、制御装置１０は、凸部加熱コイル４と底部加熱コイル５の両方に略同時に通電、あるいは交互に通電させて、内釜２の中央部分から自然対流が起きるように、また、内釜２の内周側面から自然対流が起きるようにして、内釜２内の温度ムラを少なく、かつ米飯がムラなく炊き上がるようにする。
【００６２】
以上のように実施の形態３によれば、炊飯開始ｔ０の際（内釜２を誘導加熱する前）に、底部初期温度Ｔｂ０、側面初期温度Ｔｓ０、上面初期温度Ｔｐ０および内部初期温度Ｔｉ０を読み込み、内釜２を誘導加熱してから一定時間ｔ経過後に、底部温度Ｔｂ、側面温度Ｔｓおよび上面温度Ｔｐを読み込んで、内釜２を誘導加熱する前の底部初期温度Ｔｂ０、側面初期温度Ｔｓ０および上面初期温度Ｔｐ０とでそれぞれの温度変化値ΔＴｂ、ΔＴｓ、ΔＴｐを算出する。そして、内釜２を誘導加熱する前に読み込んだ内部初期温度Ｔｉ０（内部温度Ｔｉ０）に対応して設定された設定底部温度ΔＴｂｊ、設定側面温度ΔＴｓｊおよび設定上面温度ΔＴｐｊをテーブルから抽出して、各温度変化値ΔＴｂ、ΔＴｓ、ΔＴｐとそれぞれ比較し、その比較結果から内釜２内の炊飯量を判定するようにしている。
これにより、内釜２の底部中央に設けられた凸収容部２ａの高さよりも炊飯物が低い場合、つまり炊飯量が少量あるいは中量であっても、正確に内釜２内の炊飯量を判定できる。このため、電力供給が不足したり、過剰に電力を供給するということがなくなり、最適な電力を供給することができる。また、加熱ロスや内釜２の凸収容部２ａの不必要な温度上昇を抑制でき、このため、内釜２など本体１の耐久性の低下を抑えることができる。
【符号の説明】
【００６３】
１  本体、２  内釜、２ａ  凸収容部、３  蓋体、４  凸部加熱コイル、５  底部加熱コイル、６  中容器、６ａ  凸部、７  底部温度センサー、８  側面温度センサー、９  蓋温度センサー、１０  制御装置、１１  重量センサー、１２  非接触温度センサー。
【図１】
2014204931.tif 000003
【図２】
2014204931.tif 000004
【図３】
2014204931.tif 000005
【図４】
2014204931.tif 000006
【図５】
2014204931.tif 000007
【図６】
2014204931.tif 000008